(57)【要約】【課題】動きのある物体に対して良好な撮影を行う。【解決手段】情報表示装置であって、入力された映像から撮影主体を推定する撮影主体推定部と、撮影主体の動きを推定する動き推定部と、推定された動きに基づいて撮影主体が撮影構図上の所定位置に到達する予想時刻を算出する時刻算出部と、時刻算出部により算出された予想時刻における撮影主体の位置およびサイズを推定して撮影主体を描画する描画部と、描画部により描画された予想時刻における撮影主体を当該位置およびサイズで、入力された映像と合成して表示する映像出力部とを備える。【選択図】図１
2014103598.tif 000002
【特許請求の範囲】
【請求項１】
情報表示装置であって、
入力された映像から撮影主体を推定する撮影主体推定手段と、
前記撮影主体の動きを推定する動き推定手段と、
前記推定された動きに基づいて前記撮影主体が撮影構図上の所定位置に到達する予想時刻を算出する時刻算出手段と、
前記時刻算出手段により算出された前記予想時刻における前記撮影主体の位置およびサイズを推定して前記撮影主体を描画する描画手段と、
前記描画手段により描画された前記予想時刻における前記撮影主体を前記位置およびサイズで、前記入力された映像と合成して表示する映像出力手段と、
を備えることを特徴とする情報表示装置。
【請求項２】
前記描画手段は、前記時刻算出手段により算出された前記予想時刻が過去の時刻または一定時間以上未来の時刻である場合には、前記撮影主体を描画しないことを特徴とする請求項１に記載の情報表示装置。
【請求項３】
前記描画手段は、前記時刻算出手段により算出された前記予想時刻における前記撮影主体のサイズが第１のサイズ以上または前記第１のサイズよりも小さい第２のサイズ以下である場合には、前記撮影主体を描画しないことを特徴とする請求項１または２に記載の情報表示装置。
【請求項４】
前記時刻算出手段は、前記推定された動きに基づいて前記撮影主体が撮影構図上の所定位置に到達する可能性があるか否かを判定し、前記可能性があると判定された場合に前記予想時刻を算出することを特徴とする請求項１乃至３の何れか１項に記載の情報表示装置。
【請求項５】
前記描画手段は、前記撮影主体が前記所定位置に到達する前記予想時刻と現時刻との時間差をさらに描画することを特徴とする請求項１乃至４の何れか１項に記載の情報表示装置。
【請求項６】
請求項１乃至５の何れか１項に記載の情報表示装置と、
前記時刻算出手段により算出された前記予想時刻になった場合に撮影を実行する撮影手段と、
を備えることを特徴とする撮影装置。
【請求項７】
撮影主体推定手段と、動き推定手段と、時刻算出手段と、描画手段と、映像出力手段とを備える情報表示装置の制御方法であって、
前記撮影主体推定手段が、入力された映像から撮影主体を推定する撮影主体推定工程と、
前記動き推定手段が、前記撮影主体の動きを推定する動き推定工程と、
前記時刻算出手段が、前記推定された動きに基づいて前記撮影主体が撮影構図上の所定位置に到達する予想時刻を算出する時刻算出工程と、
前記描画手段が、前記時刻算出工程により算出された前記予想時刻における前記撮影主体の位置およびサイズを推定して前記撮影主体を描画する描画工程と、
前記映像出力手段が、前記描画工程により描画された前記予想時刻における前記撮影主体を前記位置およびサイズで、前記入力された映像と合成して表示する映像出力工程と、
を有することを特徴とする情報表示装置の制御方法。
【請求項８】
請求項７に記載の情報表示装置の制御方法の各工程をコンピュータに実行させるためのプログラム。
【発明の詳細な説明】
【技術分野】
【０００１】
本発明は、情報表示装置、その制御方法、撮影装置、およびプログラムに関し、特に、撮影の際の予測可能な未来の状況を表示する技術に関する。
【背景技術】
【０００２】
カメラでの撮影時に、よりよい撮影ができるように、カメラの情報表示装置には撮影の際の露出、シャッタースピード、合焦状態、顔検出の状態等、様々な情報が表示される。特許文献１では、撮影の際に人物領域の中心と撮影画面の中心との差が小さい場合、もしくは、撮影画面内での人物領域の占有面積が小さい場合にトリミングすべき範囲を重ねて表示することが開示されている。
【０００３】
また、特許文献２では、撮影の際の位置情報を含む撮影情報から対応する推奨構図データを読み出し、撮影画像に重畳して表示することが開示されている。さらに、特許文献３では、被写体の位置があらかじめ定められた適正範囲と対比して構図不良であると判定されたときに、カメラを動かすべき構図修正方向を表示することが開示されている。
【先行技術文献】
【特許文献】
【０００４】
【特許文献１】特開２００３−３３８９５５号公報
【特許文献２】特開２００２−１０１１４号公報
【特許文献３】特開２００３−２７４２２６号公報
【特許文献４】特開平７−９２６５１号公報
【非特許文献】
【０００５】
【非特許文献１】コンピュータビジョンのための画像の特徴点の抽出，電子情報通信学会誌  ８７（１２），１０４３−１０４８，２００４−１２−０１
【非特許文献２】コンピュータビジョン−視覚の幾何学−，佐藤淳，コロナ社，１９９９
【発明の概要】
【発明が解決しようとする課題】
【０００６】
しかしながら、特許文献１乃至特許文献３では、動きのある物体を撮影する際に良好な撮影を行うための情報を表示する技術については開示がなく、動きのある物体が将来どのような位置に来た時に撮影するのがよいかをユーザがイメージすることが困難であるという課題がある。
【０００７】
上記の課題に鑑み、本発明は、動きのある物体に対して良好な撮影を行う技術を提供することを目的とする。
【課題を解決するための手段】
【０００８】
上記の目的を達成する本発明に係る情報表示装置は、
入力された映像から撮影主体を推定する撮影主体推定手段と、
前記撮影主体の動きを推定する動き推定手段と、
前記推定された動きに基づいて前記撮影主体が撮影構図上の所定位置に到達する予想時刻を算出する時刻算出手段と、
前記時刻算出手段により算出された前記予想時刻における前記撮影主体の位置およびサイズを推定して前記撮影主体を描画する描画手段と、
前記描画手段により描画された前記予想時刻における前記撮影主体を前記位置およびサイズで、前記入力された映像と合成して表示する映像出力手段と、
を備えることを特徴とする。
【発明の効果】
【０００９】
本発明によれば、動きのある物体に対して良好な撮影を行うことが可能となる。
【図面の簡単な説明】
【００１０】
【図１】第１実施形態に係る情報表示装置のハードウェア構成の一例を示す図。
【図２】第１実施形態に係る情報表示装置の機能ブロック図。
【図３】第１実施形態に係る情報表示装置が実施する処理の手順を示すフローチャート。
【図４】第１実施形態に係る撮影主体動きパラメータ推定処理の手順を示すフローチャート。
【図５】第１実施形態に係る表示時刻算出処理の手順を示すフローチャート。
【図６】画像入力部により取得された画像の一例を示す図。
【図７】画像出力部から出力して表示する画像の一例を示す図。
【図８】構図情報の一例を示す図。
【発明を実施するための形態】
【００１１】
（第１実施形態）
本実施形態では、撮影しようとしている主体が動きのある物体である時、主体が動くことで良好な撮影ができるようになる時刻を算出して、その時刻における撮影主体の状態（位置およびサイズ）を予測して表示する構成について説明する。
【００１２】
まず図１を参照して、第１実施形態に係る情報表示装置のハードウェア構成の一例を説明する。情報表示装置１０は、ＣＰＵ１０１と、ＧＰＵ１０２と、映像入力部１０３と、映像出力部１０４と、操作入力部１０５と、距離入力部１０６と、メモリ１０７と、クロック１０８とを備えている。
【００１３】
ＣＰＵ１０１は、中央演算処理装置であり、メモリから読み出したプログラムを実行することにより各処理部の動作を制御する。ＧＰＵ１０２は、グラフィックスの表示に必要な計算処理を行う半導体チップである。映像入力部１０３および映像出力部１０４は、それぞれ映像データを入力、出力する。操作入力部１０５は、ユーザ操作を受け付けて入力する。距離入力部１０６は、距離センサであり、物体に対する距離情報を取得する。メモリ１０７は、撮影画像を記録し、また情報表示装置１０の動作を制御するためのプログラムを格納する。クロック１０８は、計時動作を実行する。
【００１４】
次に図２を参照して、第１実施形態に係る情報表示装置の機能ブロックの一例を説明する。情報表示装置１０は、画像入力部２０１と、撮影主体動きパラメータ推定部２０２と、表示時刻算出部２０３と、描画部２０４と、画像出力部２０５と、撮影主体推定部２０６と、撮影部２０７とを備えている。
【００１５】
画像入力部２０１は、例えばＣＣＤやＣＭＯＳセンサであり、画像・映像を入力する。撮影主体動きパラメータ推定部２０２は、画像入力部２０１から取得した映像と、撮影主体推定部２０６により推定された撮影主体とに基づいて、撮影主体の動き情報を算出する。
【００１６】
表示時刻算出部２０３は、撮影主体が撮影構図上の適切な位置（所定位置）に到達する予想時刻を算出する。描画部２０４は、撮影主体が撮影構図上適切な位置に到達する可能性がある場合に、現在時刻から最も近い時刻ｔｋでの撮影主体を画像出力部２０５に表示する。画像出力部２０５は、画像を出力表示する。
【００１７】
撮影主体推定部２０６は、撮影しようとする主体を推定する。撮影主体とは、撮影範囲の中で撮影者が最も重要視する対象を指す。撮影主体は、操作入力部１０５としてのシャッターの半押し、もしくは押下の際のオートフォーカスのロック点によって推定し、操作入力部１０５としてのタッチパネルでのフォーカスポイント・撮影主体の指定によって推定し、あるいは、顔認識または人体認識等を行うことによって推定する。複数の撮影主体があってもよいし、複数の撮影主体の候補がある時には、ユーザが候補から撮影主体を選択したり、評価点を付けて最も高いポイントの撮影主体候補を撮影主体として選択したりしてもよい。撮影部２０７は、撮影を行う。
【００１８】
本実施形態では、画像入力部２０１、画像出力部２０５がハードウェアによる実装、描画部２０４がＧＰＵ（Ｇｒａｐｈｉｃ  Ｐｒｏｃｅｓｓｉｎｇ  Ｕｎｉｔ）とＣＰＵのプログラムによる実装、撮影主体動きパラメータ推定部２０２と表示時刻算出部２０３がＣＰＵのプログラムによる実装である例を示した。ただし、実装時に何れの処理を何れの処理部で行うかは任意であり、実装する際に容易に変更することができる。
【００１９】
以下、図３のフローチャートを参照して、第１実施形態に係る情報表示装置が実施する処理の手順を説明する。Ｓ３０１において、画像入力部２０１は、撮影対象となる映像を入力する。例えば、図６に示すような画像が入力されたものとする。
【００２０】
Ｓ３０２において、撮影主体推定部２０６は、Ｓ３０１で入力された画像および／または操作入力部１０５を用いて、撮影しようとする主体を推定する。撮影主体とは、撮影範囲の中で撮影者が最も重要視する対象である。撮影主体は、操作入力部１０５としてのシャッターの半押し、もしくは押下の際のオートフォーカスのロック点によって推定したり、操作入力部１０５としてのタッチパネルでのフォーカスポイント・撮影主体の指定によって推定したり、あるいは、顔認識／人体認識等を行うことによって推定する。
【００２１】
Ｓ３０３において、撮影主体動きパラメータ推定部２０２は、Ｓ３０１で入力された画像と、Ｓ３０２で推定された撮影主体とに基づいて、撮影主体の動き情報を算出する。ここで動き情報とは、時刻ｔにおける撮影主体の位置（ｘ（ｔ），ｙ（ｔ），ｚ（ｔ））を記述するための関数とそのパラメータを指す。特に、本実施形態では時刻ｔにおける物体の位置（ｘ（ｔ），ｙ（ｔ），ｚ（ｔ））をチェビシェフ近似により２次の多項式で近似した際の係数を算出する例について説明する。
【００２２】
ここで、図４のフローチャートを参照して、第１実施形態に係る撮影主体動きパラメータ推定処理（Ｓ３０３）の詳細を説明する。
【００２３】
Ｓ４０１において、撮影主体動きパラメータ推定部２０２は、物体追跡のために得られた画像中で物体を代表する点を、特徴点として抽出する。例えば、カメラから取得された画像の各画素における特徴量を計算する特徴量計算と、特徴点のうち領域内で特徴量が最大になる画素を特徴点の代表として選択する処理を行う。また特徴量計算として、非特許文献１では、特徴点抽出に用いられるＨａｒｒｉｓ作用素について説明されている。なお、特徴点を抽出する方法は上記の方法に限定されず、いかなる方法を用いてもよい。
【００２４】
Ｓ４０２において、撮影主体動きパラメータ推定部２０２は、処理中の画像の特徴点と、直前に取得された画像の特徴点との対応付けを行い、特徴点を追跡する処理を行う。例えば、直前フレームの各特徴点の対応点を、選択された正方領域と隣接する正方領域の中から、特徴量の最も近い特徴点を探索する方法により行うことができる。また、全領域から特徴量の最も近い特徴点を探索してもよい。なお、特徴点を追跡する方法は上記の方法に限定されず、いかなる方法を用いてもよい。
【００２５】
これら特徴点抽出処理と特徴点追跡処理は、マーカーを使えない環境下における物体追跡処理として一般的なものである。
【００２６】
Ｓ４０３において、撮影主体動きパラメータ推定部２０２は、特徴点の座標を算出する。より具体的には、Ｓ４０２の特徴点追跡処理によって得られた二次元のｘｙ座標から三次元座標を算出する。例えば、平行ステレオカメラで撮影された二枚の画像に対して、まずＳ４０２の特徴点追跡処理と同様に、二枚の画像間の対応点を調べる。次に対応が取れた点（ＸＬ，ＹＬ），（ＸＲ，ＹＲ）に対して、非特許文献２のように、以下の式（１）に示す計算を行うことで三次元座標での（ｘ，ｙ，ｚ）の座標値を算出する。但し、ｆはカメラの焦点距離、Ｂはステレオカメラ同士のレンズ中心の座標の差分を表している（２つのステレオカメラはｘ方向のみ座標差がある位置に固定しているものとする）。
【００２７】
【数１】
2014103598.tif 000003
【００２８】
また、Ｘ座標、Ｙ座標は画像入力部２０１へ入力された画像から求め、Ｚ座標は距離入力部１０６の距離センサを用いて取得する方法も適用可能である。画像入力部２０１により入力されたＸ座標、Ｙ座標が（ＸＩ，ＹＩ）、距離入力部１０６から得られたＺ座標がＺＩの時、三次元座標は以下の式（２）に示す計算を行うことにより三次元座標での（ｘ，ｙ，ｚ）の座標値を算出することもできる。但し、ｆはカメラの焦点距離である。
【００２９】
【数２】
2014103598.tif 000004
【００３０】
なお、本実施形態では、Ｓ４０３の特徴点座標算出処理でｘｙｚ座標を算出してから後の処理を行っているが、撮影対象によってはｘｙ座標のまま後の処理を行っても十分であるケースもある。ｘｙ座標のまま処理を行う方法は本実施形態の説明から容易に実施可能であるのでここでは説明しない。他にも、カメラモデルを推定してステレオカメラで撮影された画像から三次元座標を復元する各種方法が使用できる。
【００３１】
Ｓ４０４において、撮影主体動きパラメータ推定部２０２は、Ｓ４０３で算出された撮影主体の三次元座標と、クロック１０８から取得したその時の時刻とに基づいて、撮影主体の動きパラメータを算出する（動き推定処理）。動きパラメータとは、時刻ｔにおける物体の位置（ｘ（ｔ），ｙ（ｔ），ｚ（ｔ））を記述するための関数とそのパラメータを指す。特に、本実施形態では、時刻ｔにおける物体の位置（ｘ（ｔ），ｙ（ｔ），ｚ（ｔ））をチェビシェフ近似により２次の多項式で近似した際の係数ｍｘ２，ｍｘ１，ｍｘ０，ｍｙ２，ｍｙ１，ｍｙ０，ｍｚ２，ｍｚ１，ｍｚ０を動きパラメータとして算出・推定することを例として説明する。
【００３２】
まず撮影主体動きパラメータ推定部２０２は、得られた撮影主体の三次元座標（ｘｍ（ｔ），ｙｍ（ｔ），ｚｍ（ｔ））から二次式での係数を算出する。但し、ｔはクロック１０８から得たその時の時刻である。ここでは、説明を簡単にするため、過去ｎ回の時刻ｔｉ（ｉ＝−（ｎ−１）．．０，但しｉ＝０は現時刻）における撮影主体の位置（ｘｍ（ｔｉ），ｙｍ（ｔｉ），ｚｍ（ｔｉ））が得られたとして、これらの情報を用いて式（３）に示す式の各項の係数ｍｘ２，ｍｘ１，ｍｘ０，ｍｙ２，ｍｙ１，ｍｙ０，ｍｚ２，ｍｚ１，ｍｚ０を動きパラメータとして、チェビシェフ近似によって求める。
【００３３】
【数３】
2014103598.tif 000005
【００３４】
以上で図４のフローチャートの各処理が終了する。
【００３５】
次に、図３のフローチャートに戻り、Ｓ３０４において、ＣＰＵ１０１は、構図情報を順に検索するためにイタレーション変数ｉを０に初期化する処理を行う。
【００３６】
Ｓ３０５において、表示時刻算出部２０３は、撮影主体が撮影構図上重要な、適切な位置に到達する予想時刻を算出する。ここで、図５のフローチャートを参照して、第１実施形態に係る表示時刻算出処理（Ｓ３０５）の詳細を説明する。
【００３７】
Ｓ５０１において、表示時刻算出部２０３は、図８に示す構図情報からｉ番目の構図を選択する。図８の例では、構図＃０〜＃３の４つが登録されている。図８に示すように、構図情報は撮影時における撮影主体の中心座標（ｘ，ｙ）、撮影時の画像サイズを（ＳＩＺＥＸ，ＳＩＺＥＹ）、許容できる距離をｒとしたときの不等式で表される。この不等式を満たしている時、撮影主体が撮影構図上適切な位置にあると判定される。
【００３８】
構図＃０は中央一点構図（日の丸構図）であり、不等式は（ｘ−ＳＩＺＥＸ／２）２＋（ｙ−ＳＩＺＥＹ／２）２＜ｒ２である。構図＃１は３分割構図であり、不等式は（ｘ−ＳＩＺＥＸ＊１／３）２＋（ｙ−ＳＩＺＥＹ＊１／３）２＜ｒ２、または（ｘ−ＳＩＺＥＸ＊２／３）２＋（ｙ−ＳＩＺＥＹ＊１／３）２＜ｒ２、または（ｘ−ＳＩＺＥＸ＊１／３）２＋（ｙ−ＳＩＺＥＹ＊２／３）２＜ｒ２、または（ｘ−ＳＩＺＥＸ＊２／３）２＋（ｙ−ＳＩＺＥＹ＊２／３）２＜ｒ２である。構図＃２は３分割構図であり、不等式は（ｙ−ＳＩＺＥＸ／２）２＜ｒ２である。構図＃３は垂直線構図であり、不等式は（ｘ−ＳＩＺＥＸ／２）２＜ｒ２である。
【００３９】
構図情報では、撮影された状態での２次元座標で判定を行うため、時刻ｔにおける撮影主体の位置を、以下の式（４）により撮影された状態での２次元座標に変換する。但し、ｆはレンズの焦点距離、ｍｘ、ｍｙはそれぞれｘ方向、ｙ方向の撮像素子の単位距離あたりの画素数である。
【００４０】
【数４】
2014103598.tif 000006
【００４１】
Ｓ５０２において、表示時刻算出部２０３は、撮影主体の動きパラメータとｉ番目の構図の不等式とから、撮影主体が撮影構図上適切な位置に到達する可能性があるか否かを判定し、撮影構図上適切な位置に到達する可能性がある場合にはその時刻を算出する。具体的には、不等式が満たされる未来の時刻があるならば、撮影構図上適切な位置に到達する可能性があると判定する。またその時刻の中で現在時刻から最も近い時刻をｔｋとする。
【００４２】
Ｓ５０３において、表示時刻算出部２０３は、撮影主体が撮影構図上適切な位置に到達する時刻が過去の時刻、もしくは一定時間以上未来の時刻であるときは表示を行わないように制御する（時刻チェック）。すなわち、現在の時刻から一定以上未来の時刻である場合は撮影される可能性が低いと判断する。例えば簡単に０秒以下、１０分以上を表示しないように制御してもよい。
【００４３】
Ｓ５０４において、表示時刻算出部２０３は、撮影主体が撮影構図上適切な位置に到達する時刻において、撮影主体の大きさが撮影構図上大きすぎたり小さすぎたりするときは表示を行わないように制御する（主体大きさチェック）。すなわち、到達予想時刻における撮影主体のサイズが第１のサイズ以上または当該第１のサイズよりも小さい第２のサイズ以下である場合には、撮影主体を描画しないように制御する。例えば撮影主体の長辺が撮像時の短辺の１／４以下となる場合は小さ過ぎであると判定し、撮像時の短辺の７／８以上となる場合は大き過ぎであると判定して表示を行わないように制御してもよい。
【００４４】
Ｓ５０５において、表示時刻算出部２０３は、表示する／表示しないという判定が頻繁に変わることで表示が煩わしくならないように制御する（パラメータロックチェック）。具体的には、例えば撮影主体が撮影構図上適切な位置に到達する可能性があって「表示する」という判定がなされた回数が一定回数以下（あるいは一定時間以下）である場合は表示を行わないように制御する。以上で図５のフローチャートの各処理が終了する。
【００４５】
次に、図３のフローチャートに戻り、Ｓ３０６において、描画部２０４は、撮影主体が撮影構図上適切な位置に到達する可能性があって表示すると判定された場合、時刻ｔｋにおける撮影主体を映像出力部１０４から出力して表示を行う。表示の際には、画像入力部１０１が撮影した撮影主体を切り抜き、時刻ｔｋにおける撮影主体の座標に、その時刻における大きさでα合成（アルファブレンディング）を行い、映像出力部１０４から出力して表示する。
【００４６】
また、撮影主体が撮影構図上適切な位置に到達する時刻と現時刻との時間差を明示するように描画してもよい。例えば、時刻ｔｋが近い未来の時刻であるときは強調して表示を行い、時刻ｔｋが遠い未来となるにしたがって表示を強調しないように制御してもよい。
【００４７】
他の例では、α合成を行って表示する場合に、時刻ｔｋが近い未来であれば不透明度を大きく、遠い未来であれば不透明度を小さくしてもよい。α合成を行う際には、主体の彩度を落とす、輪郭を太く強調する、明度を上げるなどを行い、未来の時刻における撮影主体であることが明確に撮影者に分かるようにする。
【００４８】
これらにより、描画された結果の一例は、例えば図７のようになる。撮影主体９０１は、Ｓ３０２の撮影主体推定処理により推定された撮影主体である。９０３と９０４と９０５と９０６は選択された撮影構図上適切な位置であるとされた箇所である。そして、撮影主体９０２は、撮影主体が撮影構図上適切な位置に到達した時の撮影主体である。
【００４９】
撮影主体を切り抜くアルゴリズムは、画像切り抜きアルゴリズムとして多数提案されているものが使用することができる。例えば特許文献４では、画像の輪郭線を抽出するアルゴリズムを複数備え、画像の特徴データ、オペレータの指示によって画像切り抜きを行う方法が提示されている。
【００５０】
Ｓ３０７において、撮影部２０７は、撮影主体が撮影構図上適切な位置に到達する可能性があって「表示する」との判定がなされた場合、時刻ｔｋが現在の時刻であれば撮影処理を行う。最も簡単な例では、映像入力部１０３により取得した映像に対して圧縮処理を行いメモリ１０７に当該映像を格納する。
【００５１】
もしくは、撮影処理を実行する不図示の他装置に対して、撮影処理の起動を指示する旨の通知を送信する方法で撮影処理を実現してもよい。また、撮影を自動で行わずに、撮影者がシャッターボタンを押した時、操作入力部１０５がシャッターボタンの押下を検出して撮影を行う構成であってもよい。
【００５２】
Ｓ３０８において、ＣＰＵ１０１は、イタレーション変数ｉを次の値にするためにインクリメント（＋１）する。その後、ループ終了判定により、イタレーション変数ｉが構図情報の総数未満である場合にはＳ３０５−Ｓ３０８の処理を繰り返し、イタレーション変数ｉが構図情報の総数以上になる時にはループを抜けて処理を終了する。以上で図３のフローチャートの各処理が終了する。
【００５３】
以上説明したように、本実施形態では、撮影しようとしている主体が動きのある物体である時、主体が動くことでよい撮影ができるようになる時刻を算出して、その時刻における主体の状態（位置およびサイズ）を予測して表示する。これにより、撮影者はその情報を参考にして撮影することができるため、動きのある物体を撮影する際にもよりよい撮影をすることができる。
【００５４】
（その他の実施形態）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
2014103598.tif 000007
【図２】
2014103598.tif 000008
【図３】
2014103598.tif 000009
【図４】
2014103598.tif 000010
【図５】
2014103598.tif 000011
【図８】
2014103598.tif 000012
【図６】
2014103598.tif 000013
【図７】
2014103598.tif 000014